(57)【要約】【課題】受信画像情報に関して画像形成系に常時専属の担当者が滞在しなくても、遠隔地の情報処理制御系から画像形成枚数等を指示できるようにすると共に、その画像形成系に取りに行ったときには、すぐにこれらの複写物を入手できるようにする。【解決手段】通信機能を利用して任意のＦＡＸデータＤ２２を処理するシステムであって、通信機能を有してＦＡＸデータＤ２２を受信し当該ＦＡＸデータＤ２２に基づいて画像を形成する複合機２００と、通信機能を有して複合機２００を制御する携帯電話機４００と、複合機２００及び携帯電話機４００の間を接続する通信手段ＩＩＩとを備え、複合機２００はＦＡＸデータＤ２２を受信したとき、携帯電話機４００に対してＦＡＸ受信情報Ｄ２３を通知し、携帯電話機４００はＦＡＸ受信情報Ｄ２３の通知を受け取ると、画像形成条件に関して複合機２００を遠隔制御するように操作されるものである。【選択図】　　　　図１
2004056285.tif 000002
【特許請求の範囲】
【請求項１】
通信機能を利用して任意の画像情報を処理するシステムであって、
通信機能を有して前記画像情報を受信し当該画像情報に基づいて画像を形成する画像形成装置と、
通信機能を有して前記画像形成装置を制御する情報処理装置と、
前記画像形成装置及び情報処理装置の間を接続する通信手段とを備え、
前記画像形成装置は、
前記画像情報を受信したとき、前記情報処理装置に対して画像受信情報を通知し、
前記情報処理装置は、
前記画像受信情報の通知を受け取ると、
画像形成条件に関して前記画像形成装置を遠隔制御するように操作されることを特徴とする画像形成システム。
【請求項２】
前記画像形成装置には、
当該画像形成装置を遠隔操作する情報処理装置が予め登録されることを特徴とする請求項１に記載の画像形成システム。
【請求項３】
前記画像形成装置は、
前記画像受信情報を音声情報又は／及び映像情報にして前記情報処理装置に通知することを特徴とする請求項１に記載の画像形成システム。
【請求項４】
前記画像形成装置は、
前記画像形成条件を音声情報又は／及び映像情報にして前記情報処理装置に提示することを特徴とする請求項１に記載の画像形成システム。
【請求項５】
前記情報処理装置は、
前記画像形成装置から受信した前記音声情報又は／及び映像情報を画像受信情報に再生することを特徴とする請求項１に記載の画像形成システム。
【請求項６】
前記情報処理装置は
前記画像形成装置から受信した前記音声情報又は／及び映像情報を画像形成条件に再生することを特徴とする請求項１に記載の画像形成システム。
【請求項７】
前記情報処理装置には、
携帯用又は据え置き型の電話機、携帯用又は据え置き型のパーソナルコンピュータが使用されることを特徴とする請求項１に記載の画像形成システム。
【請求項８】
前記画像形成装置には、
ファクシミリ機能付きのディジタル複写機又はディジタル複合機が使用されることを特徴とする請求項１に記載の画像形成システム。
【請求項９】
前記通信手段には、
有線通信回線、無線通信回線及び／又はインターネット回線が使用されることを特徴とする請求項１に記載の画像形成システム。
【請求項１０】
予め登録された特定の情報処理装置によって遠隔操作可能な画像形成装置であって、
相手方からの任意の画像情報を受信すると共に、前記情報処理装置に対して画像受信情報を通知する送受信手段と、
前記送受信手段を通じて前記情報処理装置に対して画像形成条件を提示する制御装置と、
前記制御装置によって画像形成条件を提示された情報処理装置からの設定情報に基づいて前記画像情報に対応した画像を形成する画像形成手段とを備えることを特徴とする画像形成装置。
【請求項１１】
前記画像受信情報の通知先となる前記情報処理装置の呼び出し番号を記憶する記憶手段を備えることを特徴とする請求項１０に記載の画像形成装置。
【請求項１２】
前記画像受信情報を音声情報又は／及び映像情報にして前記情報処理装置に通知することを特徴とする請求項１０に記載の画像形成装置。
【請求項１３】
前記画像形成条件を音声情報又は／及び映像情報にして前記情報処理装置に提示することを特徴とする請求項１０に記載の画像形成装置。
【請求項１４】
通信機能を利用して任意の画像情報を処理する方法であって、
前記画像情報を受信し当該画像情報に基づいて画像を形成する画像形成系に予め通信機能を実装した画像形成装置を準備すると共に、前記画像形成系を制御する情報処理制御系に通信機能を実装した情報処理装置を準備し、
前記画像形成系で画像情報を受信したときは、前記画像形成装置及び情報処理装置の間を通信手段を通じて接続し、
前記画像形成系では情報処理制御系に対して画像受信情報を通知し、
前記情報処理制御系では、
前記画像受信情報の通知を受け取った後に画像形成条件に関して前記画像形成系を遠隔制御することを特徴とする情報処理方法。
【請求項１５】
前記画像形成系において、
当該画像形成系を遠隔操作する情報処理制御系を予め登録することを特徴とする請求項１４に記載の情報処理方法。
【請求項１６】
前記画像形成から前記情報処理制御系に、
前記画像受信情報を音声情報又は／及び映像情報により通知することを特徴とする請求項１４に記載の情報処理方法。
【請求項１７】
前記画像形成系から前記情報処理制御系に、
前記画像形成条件を音声情報又は／及び映像情報により提示することを特徴とする請求項１４に記載の情報処理方法。
【請求項１８】
前記情報処理制御系では、
前記画像形成系から受信した前記音声情報又は／及び映像情報を画像受信情報に再生することを特徴とする請求項１４に記載の情報処理方法。
【請求項１９】
前記情報処理制御系では
前記画像形成系から受信した前記音声情報又は／及び映像情報を画像形成条件に再生することを特徴とする請求項１４に記載の情報処理方法。
【請求項２０】
前記情報処理制御系には、
携帯用又は据え置き型の電話機、携帯用又は据え置き型のパーソナルコンピュータが使用されることを特徴とする請求項１４に記載の情報処理方法。
【請求項２１】
前記画像形成系には、
ファクシミリ機能付きのディジタル複写機又はディジタル複合機が使用されることを特徴とする請求項１４に記載の情報処理方法。
【請求項２２】
前記通信手段には、
有線通信回線、無線通信回線及び／又はインターネット回線が使用されることを特徴とする請求項１４に記載の情報処理方法。
【発明の詳細な説明】
【０００１】
【発明の属する技術分野】
この発明は通信機能、複写機能、ファクシミリ機能及びプリンタ機能を備えた白黒及びカラー用のディジタル複合機や複写機に適用して好適な画像形成システム、画像形成装置及び情報処理方法に関するものである。
【０００２】
【従来の技術】
近年、原稿画像から取得した画像データに基づいて画像形成を行うデジタル複写機が使用されるに至っている。複写機では原稿の画像情報がスキャナ等により読み込まれ、その原稿の画像情報が一旦、画像メモリに蓄えられる。そして、その画像メモリに蓄えられた画像情報はユーザの要求に応じて画像の縮小、拡大及び回転などの画像処理が施される。ここで画像処理された画像データに基づく画像が画像形成手段（プリンタ）によって所定の用紙に形成される。この結果、原稿画像を複写（コピー）することができる。
【０００３】
また、通常のファクシミリ装置では、ＦＡＸデータが受信されると、ＦＡＸ受信データに基づいて原稿１部が紙出力される。この紙出力が完了すると、ファクシミリ本体内からＦＡＸ受信データが削除される。ファクシミリ装置内のメモリには受信記録のみが保存される。従って、原稿１部を複数の配布資料として使用するためには、このプリント出力された原稿を再度、複写機等の画像形成装置に読み込み、必要な部数だけその原稿に係る画像情報に基づいて複写するようになされる。
【０００４】
例えば、運送事業者における事務処理では、集配営業所等から荷物配送拠点に発注伝票が転送されるが、その発注伝票が必ずしも同じ時間に届くとは限らない。翌日の配車などの作業は担当者によってこの発注伝票に基づいて行われるが、配車を記録した資料（配車資料）は複数の運転手に配布するようになされる。この場合、集配営業所等からファクシミリ転送されてくる発注伝票を待って、その発注伝票（原稿１部）をファクシミリ装置から紙出力された後に、その原稿を複写機等を使用して運転手の人数分だけ作成するようになされる。
【０００５】
【発明が解決しようとする課題】
ところで、従来方式の複写機及びファクシミリ装置を利用した画像形成システムによれば、以下のような問題がある。
【０００６】
▲１▼　集配営業所等の相手方からいつ何時に受信するか分からない発注伝票等の画像情報の受信時の複写処理に関して、複写機等の画像形成装置の設置場所に常時専属の担当者を滞在させなくてはならない。従って、担当者が配送拠点等の事務所に拘束される時間が長くなる傾向にある。
【０００７】
▲２▼　また、遠隔地の集配営業所等の情報処理装置（以下で情報処理制御系ともいう）から配送拠点の複写機（以下で画像形成系ともいう）に対して画像形成条件等を指示することが困難なことから、前夜にＦＡＸ受信した発注伝票を翌朝に取りに行っても、これらの必要枚数の複写物をすぐに入手することができない。従って、翌朝の忙しい時間に、ファクシミリ装置から紙出力された後の原稿に基づいて運転手等の人数分だけ複写機を使用して作成しなくてはならず、人手及び所定の複写時間が必要となる。
【０００８】
そこで、この発明は上述した課題を解決したものであって、受信画像情報に関して画像形成系に常時専属の担当者が滞在しなくても、遠隔地の情報処理制御系から画像形成条件等を指示できるようにすると共に、その画像形成系に取りに行ったときには、すぐにこれらの複写物を入手できるようにした画像形成システム、画像形成装置及び情報処理方法を提供することを目的とする。
【０００９】
【課題を解決するための手段】
上記課題を解決するために、本発明に係る画像形成システムは通信機能を利用して任意の画像情報を処理するシステムであって、通信機能を有して画像情報を受信し当該画像情報に基づいて画像を形成する画像形成装置と、通信機能を有して画像形成装置を制御する情報処理装置と、画像形成装置及び情報処理装置の間を接続する通信手段とを備え、画像形成装置は画像情報を受信したとき、情報処理装置に対して画像受信情報を通知し、情報処理装置は画像受信情報の通知を受け取ると、画像形成条件に関して画像形成装置を遠隔制御するように操作されることを特徴とするものである。
【００１０】
本発明に係る画像形成システムによれば、通信機能を利用して任意の画像情報を処理する場合に、画像形成装置で画像情報が受信されると、通信手段を通じて当該画像形成装置及び情報処理装置とが接続される。これを前提にして、画像形成装置では通信機能を利用して情報処理装置に対し画像受信情報が通知される。情報処理装置では画像受信情報の通知を受け取ると、通信機能を利用して画像形成条件に関して画像形成装置を遠隔制御するように操作される。画像形成装置では画像形成条件及び当該画像情報に基づいて画像を形成するようになる。
【００１１】
従って、相手方からいつ何時に受信するか分からない画像情報の受信時の複写処理に関して、画像形成装置の設置場所に常置専属の担当者が滞在しなくても、遠隔地の携帯用又は据え置き型の電話機や、携帯用又は据え置き型のパーソナルコンピュータ等の情報処理装置から画像形成枚数等を指示することができる。これにより、必要枚数の複写物を予め画像形成して揃えておくことができ、その画像形成装置の設置場所に取りに行ったときには、すぐにこれらの複写物を入手することができる。以下で留守番ＦＡＸ受信連絡複写機能という。
【００１２】
本発明に係る画像形成装置は予め登録された特定の情報処理装置によって遠隔操作可能な画像形成装置であって、相手方からの任意の画像情報を受信すると共に、情報処理装置に対して画像受信情報を通知する送受信手段と、この送受信手段を通じて情報処理装置に対して画像形成条件を提示する制御装置と、この制御装置によって画像形成条件を提示された情報処理装置からの設定情報に基づいて画像情報に対応した画像を形成する画像形成手段とを備えることを特徴とするものである。
【００１３】
本発明に係る画像形成装置によれば、予め登録された特定の情報処理装置によって遠隔操作される。これを前提にして、相手方から任意の画像情報が送受信手段によって受信されると共に、その情報処理装置に対して画像受信情報が通知される。情報処理装置では送受信手段を通じて画像形成条件が提示される。情報処理装置は画像形成装置に対して画像形成条件が設定される。この画像形成条件の設定は送受信手段を通じて当該画像形成装置に取り込まれる。そして、画像形成手段では情報処理装置から画像形成条件の設定を受け、この画像形成条件及び画像情報に基づいて画像を形成するようになされる。
【００１４】
従って、遠隔地の携帯用又は据え置き型の電話機や、携帯用又は据え置き型のパーソナルコンピュータ等の予め登録された特定の情報処理装置から指示された画像形成枚数等の複写物を出力することができる。これにより、必要枚数の複写物を予め画像形成して揃えておくことができ、その画像形成装置の設置場所に取りに行ったときには、すぐにこれらの複写物を入手することができる（留守番ＦＡＸ受信連絡複写機能）。このことで、相手方からいつ何時に受信するか分からない画像情報の受信時の複写処理に関して、画像形成装置の設置場所に常置専属の担当者が滞在しなくても済む。
【００１５】
本発明に係る情報処理方法は通信機能を利用して任意の画像情報を処理する方法であって、画像情報を受信し当該画像情報に基づいて画像を形成する画像形成系に予め通信機能を実装した画像形成装置を準備すると共に、画像形成系を制御する情報処理制御系に通信機能を実装した情報処理装置を準備し、画像形成系で画像情報を受信したときは、画像形成装置及び情報処理装置の間を通信手段を通じて接続し、画像形成系では情報処理制御系に対して画像受信情報を通知し、情報処理制御系では、画像受信情報の通知を受け取った後に画像形成条件に関して画像形成系を遠隔制御することを特徴とするものである。
【００１６】
本発明に係る情報処理方法によれば、通信機能を利用して任意の画像情報を処理する場合に、相手方からいつ何時に受信するか分からない画像情報の受信時の複写処理に関して、画像形成系において、常置専属の担当者が滞在しなくても、遠隔地の携帯用又は据え置き型の電話機や、携帯用又は据え置き型のパーソナルコンピュータ等の情報処理制御系から画像形成枚数等を指示することができる。
【００１７】
従って、必要枚数の複写物を予め画像形成して揃えておくことができ、その画像形成系に取りに行ったときには、すぐにこれらの複写物を入手することができる（留守番ＦＡＸ受信連絡複写機能）。
【００１８】
【発明の実施の形態】
以下、図面を参照しながら、この発明の実施形態に係る画像形成システム、画像形成装置及び情報処理方法について説明をする。
（１）実施形態
図１は、本発明の実施形態としての画像形成システム１００の構成例を示すブロック図である。
この実施形態では通信機能を利用して任意の画像情報を処理する場合に、画像形成装置と情報処理装置とを通信手段を通じて接続し、画像形成装置では画像情報を受信したとき、情報処理装置に対して画像受信情報を通知し、情報処理装置では画像受信情報の通知を受け取ると、画像形成条件に関して画像形成装置を遠隔制御するように操作して、相手方からいつ何時に受信するか分からない画像情報の受信時の複写処理に関して、画像形成装置の設置場所に常置専属の担当者が滞在しなくても、遠隔地の情報処理装置から画像形成枚数等を指示できるようにすると共に、その画像形成装置の設置場所に取りに行ったときには、すぐにこれらの複写物を入手できるようにしたものである。
【００１９】
図１に示す画像形成システム１００は通信機能を利用して任意の画像情報を処理するシステムである。このシステム１００では通信機能を有した画像形成装置の一例となる白黒用のディジタル複合機２００が準備され、画像情報を受信して当該画像情報に基づいて画像を形成するようになされる。画像は所定サイズの用紙に複写されて複写物となされる。複合機２００は画像形成系Ｉを構成する。複合機２００は例えば、任意の会社企業等に設置される。画像形成装置には白黒用のディジタル複合機２００の他に、カラー用のディジタル複合機やファクシミリ機能付き複写機が使用される。この複合機２００は通信機能、複写機能、ファクシミリ機能及びプリンタ機能を備えている。
【００２０】
この複合機２００では画像情報を受信（以下でＦＡＸ受信ともいう）したとき、特定の情報処理装置に対して画像受信情報を通知すようになされる。複合機２００には、当該複合機２００を遠隔操作する情報処理装置の一例となる携帯電話機４００の電話番号や電子メールアドレス等が予め登録される。受信連絡モードを実行するためである。このシステム１００で、受信連絡モードとはＦＡＸ受信が有ったとき、予め登録された携帯電話機４００等に対してその旨の画像受信情報を通知し、その携帯電話機４００を通じて画像形成条件等の指示を受けるモードをいう。
【００２１】
この複合機２００を使用する者（以下で使用者という）は、予め通信機能を有した携帯電話機４００が準備され、この携帯電話機４００を通じて複合機２００を遠隔制御するようになされる。携帯電話機４００は情報処理制御系ＩＩを構成する。情報処理装置には携帯電話機４００の他に、据え置き型の電話機５００や、携帯用又は据え置き型のパーソナルコンピュータ６００等が使用される。
【００２２】
上述の複合機２００と携帯電話機４００との間は通信手段ＩＩＩにより接続される。通信手段ＩＩＩには有線通信回線や、無線通信回線、インターネット回線等が使用される。このシステム１００で通信手段ＩＩＩは回線接続装置１０１、１０３〜１０５や、無線回線接続装置１０２、通信網１０５から構成される。複合機２００から携帯電話機４００へ画像受信情報等を送信したり、画像形成条件等の設定情報を受信するためである。
【００２３】
例えば、複合機２００は電気通信事業者の回線接続装置１０１を通じて通信網１０５に接続される。この通信網１０５には同じ事業者又は他の事業者の無線回線接続装置１０２を通じて携帯電話機４００に接続される。又は、電気通信事業者の回線接続装置１０３を通じて据え置き型の電話機５００に接続され、また、他の事業者の回線接続装置１０４を通じて据え置き型のパーソナルコンピュータ６００に接続される。
【００２４】
この複合機２００では例えば、「ＦＡＸ受信が有った」旨の画像受信情報を音声情報又は映像情報により携帯電話機４００に送信し使用者に通知するようになされる。音声情報による場合は「何月何日○時○分に発信者番号○○○○からファクシミリを受信しました」旨が通知される。映像情報による場合は文字で「何月何日○時○分に発信者番号○○○○からファクシミリを受信しました」旨のメッセージが携帯電話機４００の表示画面に表示するようになされる。もちろん、音声情報及び映像情報の両方により画像受信情報を通知するようにしてもよい。
【００２５】
携帯電話機４００に通知する内容は画像受信情報に限られることはなく、画像形成条件を音声情報又は映像情報により携帯電話機４００に送信し使用者に提示するようになされる。音声情報による場合は「出力部数は、用紙サイズは・・・・に従って設定して下さい」旨が通知される。映像情報による場合は文字で「出力部数は、用紙サイズは・・・・に従って設定して下さい」旨のメッセージが携帯電話機４００の表示画面に表示するようになされる。もちろん、音声情報及び映像情報の両方により画像受信情報を通知するようにしてもよい。複合機２００が使用者の携帯電話機４００から画像形成条件等に関して指示を受けるためである。
【００２６】
このシステム１００で携帯電話機４００は複合機２００から受信した音声情報又は／及び映像情報を画像受信情報に再生するようになされる。また、携帯電話機４００は複合機２００から受信した音声情報又は／及び映像情報を画像形成条件に再生するようになされる。携帯電話機４００でファクシミリイメージ映像等の特有のキャラクタを表示するようにしてもよい。
【００２７】
この音声情報又は／及び映像情報に基づく画像受信情報を確認した使用者は携帯電話機４００を通じて画像形成条件等に関して複合機２００を遠隔制御するように操作される。使用者は携帯電話機４００を使用して出力部数や用紙サイズ等を当該複合機２００に設定するようになされる。複合機２００では画像を所定サイズの用紙に複写して複写物を出力するようになされる。
【００２８】
続いて、本発明に係る情報処理方法について当該画像形成システム１００における処理例について説明をする。図２は画像形成システム１００における処理例を示すフローチャートである。
【００２９】
このシステム１００では通信機能を利用して任意の画像情報を処理する場合を前提とする。また、画像情報を受信し当該画像情報に基づいて画像を形成する画像形成系Ｉに予め通信機能を実装した画像形成装置が準備されると共に、この画像形成系Ｉを制御する情報処理制御系ＩＩに通信機能を実装した情報処理装置が準備されること前提とする。つまり、画像形成系Ｉには例えば、通信機能、複写機能、ファクシミリ機能及びプリンタ機能を備えた複合機２００等が準備され、情報処理制御系ＩＩには通信機能を備えた携帯用又は据え置き型の電話機や、携帯用又は据え置き型のパーソナルコンピュータ等が準備される。予め複合機２００には受信連絡モードが設定され、使用者の携帯電話機４００の電話番号も登録される。
【００３０】
これらを処理条件にして、図２Ａに示すフローチャートのステップＡ１で画像形成系１では画像情報を受信（ＦＡＸ受信）したかがチェックされる。このとく複合機２００でＦＡＸ受信された場合は、ステップＡ２に移行する。ＦＡＸ受信されていない場合はファクシミリを受信待機する。
【００３１】
ステップＡ２では受信連絡モードが設定されているかがチェックされる。受信連絡モードが設定されている場合はステップＡ３に移行する。ステップＡ３では予め登録された携帯電話機４００に対して通信要求を発呼する。このとき、複合機２００では予め登録された使用者の携帯電話機の電話番号が読み出され、この電話番号に基づいて携帯電話機４００を呼び出すようになされる。この呼び出しによって、画像形成系Ｉの複合機２００及び情報処理制御系ＩＩの携帯電話機４００との間が通信手段ＩＩＩを通じて回線接続される。この通信手段ＩＩＩには有線通信回線や、無線通信回線、インターネット回線等が使用される。
【００３２】
この情報処理制御系ＩＩではステップＢ１で相手方からの着呼が待機される。この際の着呼は通常の携帯電話機等のみならず画像形成系Ｉの複合機２００からの呼び出しも含む。このシステム１００で複合機２００からの通信要求を着呼した場合はステップＢ２に移行して例えば、携帯電話機４００をオンフックする。
【００３３】
これにより、画像形成系ＩではステップＡ４で携帯電話機４００のオンフックによって当該複合機２００及び携帯電話機４００との間の通信回線が確立される。その後、ステップＡ５で複合機２００から携帯電話機４００へ画像受信情報や画像形成条件等を通信機能を利用して通知する。この複合機２００では例えば、「ＦＡＸ受信が有った」旨の画像受信情報を音声情報等にして携帯電話機４００に送信される。また、画像形成条件が例えば、映像情報により携帯電話機４００に送信される。
【００３４】
この画像受信情報及び画像形成条件は情報処理制御系ＩＩのステップＢ３で携帯電話機４００によって受信される。例えば、「何月何日○時○分に発信者番号○○○○からファクシミリを受信しました」旨が音声情報に基づいて再生され、使用者に通知するようになされる。映像情報に基づいて文字により「出力部数は、用紙サイズは・・・・に従って設定して下さい」旨のメッセージが携帯電話機４００の表示画面に表示するようになされる。
【００３５】
情報処理制御系ＩＩではステップＢ４で上述の画像形成条件に関する遠隔制御を実行する。例えば、使用者は携帯電話機４００を使用して出力部数や用紙サイズ等を当該複合機２００に設定するようになされる。これにより、携帯電話機４００では通信機能を利用して画像形成条件に関して複合機２００を遠隔制御するように操作することができる。
【００３６】
これを受けて画像形成系ＩではステップＡ６で画像形成条件に基づいて画像形成処理を実行する。このとき、複合機２００では設定されたサイズの用紙を繰り出し、当該画像情報に基づいてその用紙に画像を形成し、設定枚数分の複写物を出力するようになされる。以下で留守番ＦＡＸ受信連絡複写機能という。なお、ステップＡ２で受信連絡モードが設定されていない場合は、ステップＡ６に移行して画像形成条件に関してデフォルト値に基づいて画像を形成し、１部数の複写物を出力するようになされる。その後、ステップＡ７に移行する。
【００３７】
ステップＡ７では画像形成処理に関して終了判断をする。この際の判断は使用者である。留守番ＦＡＸ受信連絡複写機能を継続して利用する場合はステップＡ１に戻る。ステップＡ１で複合機２００ではＦＡＸ受信したかがチェックされ、以後、上述の処理を繰り返すようになされる。情報処理制御系ＩＩでもステップＢ５で受信連絡モードによる受信を継続するかが判断される。この際の判断は使用者である。受信連絡モードによる受信を継続する場合はステップＢ１に戻って携帯電話機４００によって着呼待機され、以後、上述の処理を繰り返すようになされる。受信連絡モードによる受信を拒否する場合は当該携帯電話機４００の電源をオフすることで対処される。
【００３８】
このように、本発明に係る実施形態としての画像形成システム１００によれば、通信機能を利用して任意の画像情報を処理する場合に、複合機２００で画像情報が受信されると、通信手段ＩＩＩの回線接続装置１０１，通信網１０５及び無線回線接続装置１０２を通じて当該複合機２００及び携帯電話機４００とが接続される。これを前提にして、複合機２００では通信機能を利用して携帯電話機４００に対し画像受信情報が通知される。携帯電話機４００では画像受信情報の通知を受け取ると、通信機能を利用して画像形成条件に関して複合機２００を遠隔制御するように操作される。複合機２００では画像形成条件及び当該画像情報に基づいて画像を形成するようになる。
【００３９】
従って、相手方からいつ何時に受信するか分からない画像情報の受信時の複写処理に関して、複合機２００の設置場所に使用者の常置専属の担当者が滞在しなくても、遠隔地の携帯電話機４００、電話番号登録にもよるが従業者の自宅の据え置き型の電話機５００や、その者の居住内の据え置き型のパーソナルコンピュータ６００等から画像形成枚数等を複合機２００へ指示することができる。これにより、ファクシミリ受信したその晩に必要枚数の複写物を予め画像形成して揃えておくことができ、その翌朝、複合機２００の設置場所に取りに行ったときには、すぐにこれらの複写物を入手することができる。
【００４０】
（２）実施例
図３は本発明に係る実施例としての留守番ＦＡＸ受信連絡複写システムで使用する複合機２００の機能例を示すイメージ図である。図４は複合機２００の断面の構成例を示す概念図である。
【００４１】
この実施例では画像形成システムの一例となる留守番ＦＡＸ受信連絡複写システムを構築し、複合機２００では画像情報を受信したとき、携帯電話機４００に対して画像受信情報を通知し、携帯電話機４００では画像受信情報の通知を受け取ると、画像形成条件に関して複合機２００を遠隔制御するように操作して、相手方からいつ何時に受信するか分からない画像情報の受信時の複写処理に関して、複合機２００の設置場所に常置専属の担当者が滞在しなくても、従業者の自宅等の携帯電話機４００から画像形成枚数等を指示できるようにすると共に、その複合機２００の設置場所に取りに行ったときには、すぐにこれらの複写物を入手できるようにしたものである。
【００４２】
図３に示す留守番ＦＡＸ受信連絡複写システムで使用する白黒用のディジタル複合機（コピア）２００は、予め登録された特定の携帯電話機４００によって遠隔操作可能な画像形成装置の一例であり、画像情報を受信して当該画像情報に基づいて画像を形成するようになされる。画像は所定サイズの用紙に複写されて複写物となされる。複合機２００は画像形成系Ｉを構成する。
【００４３】
この複合機２００は受信連絡モードを実行する通信機能、原稿を読み取って所定の用紙に画像を形成するコピー機能、原稿を読み取って相手方に原稿画像を送信するファクシミリ送信（ＦＡＸ送信）機能、相手方の端末装置１０７から受信した原稿画像を用紙に形成するファクシミリ受信（以下でＦＡＸ受信という）機能及び、パーソナルコンピュータ（以下パソコンという）１０６から受信した画像データに基づいて用紙に画像を形成するプリント機能の５つを有している。
【００４４】
図４において、複合機２００は大きく分けて給紙手段３０、自動原稿給紙装置（ＡＤＦ）４０、画像読み取り部５０及び画像形成手段８０等から構成される。
【００４５】
給紙トレイ３０ａ、３０ｂ・・・は給紙手段３０を構成し、給紙トレイ３０ａには例えば、Ａ４サイズのコピー用紙が横向きにセットされる。給紙トレイ３０ｂには例えば、Ａ３サイズのコピー用紙が横向きにセットされる。図４では給紙トレイ３０ａ、３０ｂが２個の場合を示しているが、これに限られることはなく、図示しないがＡ４サイズのコピー用紙を縦向きにセットされる給紙トレイや、Ｂ５サイズ等のコピー用紙をセットされる給紙トレイが準備されている。給紙トレイ３０ａ、３０ｂは制御装置１５からのトレイ選択制御データＤ５に基づいて選択される。
【００４６】
これらの用紙Ｐとして５２．３〜６３．９ｋｇ／ｍ２（１０００枚）程度の薄紙や６４．０〜８１．４ｋｇ／ｍ２（１０００枚）程度の普通紙や８３．０〜１３０．０ｋｇ／ｍ２（１０００枚）程度の厚紙や１５０．０ｋｇ／ｍ２（１０００枚）程度の超厚紙が用いられる。用紙Ｐの厚み（紙厚）としては０．０５〜０．１５ｍｍ程度の厚さのものが用いられる。線速度を８０〜３５０ｍｍ／ｓｅｃ程度とし、環境条件として温度が５〜３５℃程度、湿度が１５〜８５％程度の設定条件とすることが好ましい。
【００４７】
また、自動原稿給紙装置４０は原稿載置部４１、ローラ４２ａ、ローラ４２ｂ、ローラ４３、反転ローラ４４、反転部４５及び排紙皿４６を有している。原稿載置部４１には例えば、原稿表面を上にした状態で、複数枚の原稿２０が載置される。そして、図示しないＡＤＦ制御部によってローラ４２ａ及びローラ４２ｂが駆動されると、これらのローラ４２ａ及びローラ４２ｂを介して繰り出された原稿２０の１枚目がローラ４３を介して画像読み取り部５０へ搬送される。
【００４８】
画像読み取り部５０は第１のプラテンガラス５１、第２のプラテンガラス５２、光源５３、ミラー５４、５５、５６、結像光学系５７、ＣＣＤ撮像装置５８及び図示しない光学駆動系を有している。画像読み取り部５０では光源５３から原稿２０の画像面に光が照射される。この反射光はミラー５４，５５，５６によって案内され、その反射光が結像光学系５７を介してＣＣＤ撮像装置５８の受光面に原稿２０の画像が結像される。これにより、ＣＣＤ撮像装置５８に原稿画像が取り込まれる。
【００４９】
また、プラテンガラス５１上で、つまり、原稿２０の読み取り面を下に向けた状態で、その原稿２０が原稿載置部４１に載置された場合は、光学駆動系がプラテンガラス５１に沿って、画像読み取り部５０を走査することで原稿画像がＣＣＤ撮像装置５８に取り込まれる。
【００５０】
なお、自動原稿給紙装置４０において、原稿２０の両面読取モードの場合は、ローラ４３の周囲を原稿２０が回るようになる。この場合にはプラテンガラス５２下に光源５３とミラー５４とが固定された状態で、原稿画像が画像読み取り部５０によって読み取られる。そして、原稿２０の表面が読み取られると、今度は反転ローラ４４を介して再度、ローラ４３を用いた巻き取り操作が行われ、原稿裏面の画像が画像読み取り部５０で読み取られる。このように表面と裏面の画像が読み取られた原稿２０は、再度反転ローラ４４で反転されて表面を下に向けた状態で、排紙皿４６に積載されていく。
【００５１】
一方、用紙Ｐが積載されている給紙トレイ３０ａ又は３０ｂから、用紙Ｐが繰り出されて画像形成手段８０に給送される。画像形成手段８０は画像書き込み部６０、感光体ドラム７１、帯電部７２、現像部７３、転写部７４、分離部７５、クリーニング部７６、搬送機構７７及び定着部７８を有している。
【００５２】
ここで用紙Ｐの一方の面のみに画像を形成する片面モードの場合を例にとると、用紙Ｐは転写部７４の入り口付近に設けられた、レジストローラ６１で同期が採られた後に感光体ドラム７１に、より近接する。この状態で、画像書き込み部６０内では、画像情報に応じた所定の強度のレーザ光がレーザダイオードから感光体ドラム７１上へ照射される。これにより、感光体ドラム７１に原稿２０の静電潜像が形成される。この静電潜像は現像部７３からのトナーにより現像された後に、感光体ドラム７１上にトナー像となって形成される。
【００５３】
このトナー像は感光体ドラム７１の下部に設けられた転写部７４上に搬送された用紙Ｐに転写される。このとき、用紙Ｐは感光体ドラム７１に吸着される。そして、感光体ドラム７１に吸着された用紙Ｐは分離部７５によって感光体ドラム７１から分離される。その後、感光体ドラム７１から分離された用紙Ｐは搬送機構７７を介して定着部７８に送出され、トナー像が熱と圧力とにより定着される。
【００５４】
これにより、用紙Ｐの所定の面（被形成面）に原稿画像が形成される。感光体ドラム７１に残留付着したトナーはクリーニング部７６により除去され、次の画像形成に対処すべく待機する。この画像形成が完了した用紙Ｐは、例えば、フィニッシャ部３００で出力形態（ソータ機能及びステプラー機能などの操作指示）に対応して、そのまま機外に排出される（片面モード）。
【００５５】
この複合機２００では用紙反転機構が備えられ、両面モードが設定されると、用紙Ｐの表裏を反転するようになされる。用紙反転機構はガイド９１、反転ローラ９２、反転部９３、反転搬送路９４及び、排紙ローラ９５から構成される。この両面モードでは、トナー像が定着された用紙Ｐが排紙処理に移行されることなく、ガイド９１を介して画像形成手段８０の下方に搬送され、反転部９３に送出される。次に、反転部９３に送出された用紙Ｐは反転ローラ９２で、再度上方向に繰り出され、用紙Ｐをスイッチバックするように、給紙トレイ３０ａ上に設けられた反転搬送路９４を通って再度、画像形成手段８０に転送される。
【００５６】
反転搬送路９４では、用紙Ｐの被形成面（未だ画像形成されていない面）上にして、用紙Ｐがレジストローラ６１を介して画像形成手段８０に送出される。画像形成手段８０では上述した表面の場合と同様にして、感光体ドラム７１に原稿２０に係る静電潜像が形成され、この静電潜像が現像部７３で現像されるので、感光体ドラム７１上に原稿２０に係るトナー像が形成される。
【００５７】
このトナー像は転写部７４によって用紙Ｐの他方の面に転写される。感光体ドラム７１に吸着された用紙Ｐは分離部７５によって感光体ドラム７１から分離された後に、搬送機構７７を介して定着部７８に送出され、トナー像が熱と圧力とにより定着される。上述した原稿２０の画像形成が終了した画像形成手段８０では、感光体ドラム７１に残留付着したトナーがクリーニング部７６により除去され、次の画像形成に対処すべく待機する。これにより、原稿２０に係る画像を用紙Ｐの表裏に形成することができる。
【００５８】
図５は複合機２００の制御系の構成例を示すブロック図である。図５に示す複合機２００は予め登録された特定の携帯電話機４００によって遠隔操作可能な画像形成装置であって、通信機能、コピー機能、ＦＡＸ送信機能、ＦＡＸ受信機能及び、プリント機能の５つを有しており、予め指定されたサイズの用紙Ｐに画像を形成するものである。
【００５９】
この複合機２００は状態管理コントローラ用の制御装置１５を有しており、この制御装置１５にはファクシミリ部１１、通信制御部１２、データ通信部１３、操作部１４、給紙手段３０、画像メモリ３３、設定記録部３６、音声素材メッセージ記憶部３７、メッセージ編集部３８、画像読み取り部５０、画像形成手段８０、表示部８７、及びフィニッシャ部３００が接続されている。ファクシミリ部１１及び通信制御部１２は送受信手段を構成するものである。
【００６０】
画像読み取り部５０ではＦＡＸ送信時等において、図４に示した原稿２０を読み取って画像取得信号を発生し、この画像取得信号をアナログ・デジタル変換した後の画像データＤｉｎが制御装置１５の書込み制御を受けて画像メモリ３３に格納される。画像メモリ３３は電源バックアップされており、瞬断などによって主電源がオフされても、画像データＤｉｎをバックアップできるので、画像編集処理などのために読み込まれた貴重な画像データＤｉｎの消失を防止できる。画像メモリ３３にはハードディスク（ＨＤＤ）を接続してバックアップするようにしてもよい。
【００６１】
ファクシミリ部１１は公衆電話回線に接続され、図３に示した相手方の端末装置１０７から送られてくる任意の画像情報（以下でＦＡＸデータＤ２２という）を受信したり、画像読み取り部５０で読み取った画像データＤｉｎ又はパーソナルコンピュータ１０６から受け取った画像データＤ２１をＦＡＸデータＤ２２として相手方の端末装置に送信される。ＦＡＸデータＤ２２は送信時に符号化圧縮処理が行われ、ＦＡＸデータＤ２２の受信時には復号化伸長処理などが行われる。
【００６２】
通信制御部１２はファクシミリ部１１と同様にして公衆電話回線等に接続され、携帯電話機４００に対して画像受信情報（以下でＦＡＸ受信情報Ｄ２３という）を通知したり、ファクシミリ部１１の送受信を制御するようになされる。
【００６３】
データ通信部１３では例えば、ＴＣＰ／ＩＰベースのネットワークのＬＡＮ（Ｌｏｃａｌ　Ａｒｉａ　Ｎｅｔｗｏｒｋ）やインターネット等を通じて外部のコンピュータや、他の複合機と接続され、そのコンピュータ等から送られてくる画像データＤ２１が受け取られ、制御装置１５の画像記憶制御を受けて画像メモリ３３に転送される。これはインターネットＦＡＸを想定したためである。
【００６４】
操作部１４は画像形成条件や、受信連絡モード等を設定するように操作される。画像形成条件等はファクシミリ部１１の初期設定時に操作パネル上でユーザによって設定される。操作パネルは操作部１４や表示部８７から構成される。その一例については図６で説明をする。この表示部８７にはプリントアウト時の画像形成条件を設定する際に、複写画面Ｐ１０、ファクシミリ画面Ｐ２０、プリンタ画面Ｐ３０等を表示し、受信連絡モードをＯＮ／ＯＦＦ設定する際に、受信連絡モード設定画面Ｐ０１を表示するようになされる。
【００６５】
もちろん、操作パネル上で設定入力された操作データＤ４は制御装置１５を通じて設定記録部３６に格納される。受信連絡モードを実行する際に設定記録部３６から読み出して使用するためである。制御装置１５には設定記録部３６が接続されており、ＦＡＸ受信情報Ｄ２３の通知先となる携帯電話機４００の電話番号や電子メールアドレス等が予め登録され記録保存されている。設定記録部３６にはＥＥＰＲＯＭ等の不揮発メモリが使用される。不揮発メモリは電源が切れても記録内容が消去されないものである。
【００６６】
この制御装置１５には設定記録部３６の他に音声素材メッセージ記録部３７が接続されており、オリジナルのＦＡＸ受信メッセージ情報が記録される。例えば、「○月○日○時○分に発信者番号○○○○の登録名○○からファクシミリを受信しました」旨が記録される。この○部分を除く音声情報がオリジナルのＦＡＸ受信メッセージ情報である。○部分に受信時のリアルタイムのデータを挿入するようになされる。
【００６７】
もちろん、これに限られることはなく、「＜受信時刻＞に＜発信者番号＞、＜登録名＞から、＜用紙サイズ＞＜枚数＞のデータを受信しました」等のメッセージ情報を記録するようにしてもよい。映像情報による場合は「何月何日○時○分に発信者番号○○○○からファクシミリを受信しました」旨のメッセージ文字情報をメッセージ記録部３７等に記録するようになされる。携帯電話機４００の表示画面に文字情報を表示するためである。
【００６８】
また、音声情報及び映像情報の両方によりＦＡＸ受信情報Ｄ２３を通知するようにしてもよい。音声素材メッセージ記録部３７にはＥＥＰＲＯＭ等の不揮発メモリが使用される。
【００６９】
上述の制御装置１５には音声素材メッセージ記録部３７の他にメッセージ編集部３８が接続されており、オリジナルのＦＡＸ受信メッセージ情報の○部分に受信時の対応リアルタイムデータを合成して編集するようになされる。対応リアルタイムデータはＦＡＸ受信に係る受信時刻や、相手先の発信者番号、その登録名、用紙サイズ、枚数等である。対応リアルタイムデータの合成編集後のメッセージ情報がＦＡＸ受信情報Ｄ２３となる。
【００７０】
携帯電話機４００に通知する内容はＦＡＸ受信情報Ｄ２３に限られることはなく、画像形成条件を音声情報又は映像情報により携帯電話機４００に送信し使用者に提示するようになされる。音声情報により画像形成条件を送信する場合は「出力部数は、用紙サイズは・・・・に従って設定して下さい」旨が通知される。例えば、「＜指定＞部数の出力を行います。よろしければ「＃」を、訂正する場合は「＊」を入力してください」等である。この確認メッセージとして例えば、「＜指定＞部数、正常に出力されました」等が通知される。
【００７１】
また、映像情報による場合は「出力部数は、用紙サイズは・・・・に従って設定して下さい」旨のメッセージ文字情報が携帯電話機４００の表示画面に表示するようになされる。もちろん、音声情報及び映像情報の両方により画像形成条件を通知するようにしてもよい。上述したこれらの通知に対して複合機２００は使用者の携帯電話機４００から画像形成条件等に関して設定情報Ｄ２４を受信しその指示を受けるようになされる。
【００７２】
この設定情報Ｄ２４は通信制御部１２を通じて制御装置１５に取り込まれる。制御装置１５は設定情報Ｄ２４に基づいて画像形成手段８０を制御する。例えば、画像形成手段８０では、制御装置１５によって画像形成条件を提示された携帯電話機４００からの設定情報Ｄ２４に基づいてＦＡＸデータＤ２２に対応した画像を形成するようになされる。
【００７３】
画像形成時には、制御装置１５は画像メモリ３３からＦＡＸデータＤ２２を画像データＤｏｕｔとして読み出した後に、画像形成条件に基づいて例えば、画像縮小や、拡大処理、画像回転処理をするようになされる。画像処理後の画像データＤｏｕｔは画像書き込み部６０に出力される。例えば、図４に示した帯電部７２によって予め帯電された感光体ドラム７１に、画像データＤｏｕｔを入力した画像書き込み部６０によって静電潜像が形成される。
【００７４】
この静電潜像は現像部７３によって現像されトナー像となる。このトナー像は給紙手段３０から供給される用紙Ｐに、転写部７４によって転写される。その後、分離部７５及び搬送機構部７７によって感光体ドラム７１から用紙Ｐが分離され、定着部７８によってトナー像が定着される。トナー像定着後の用紙Ｐは記録紙Ｐ’に成る。これにより、複合機２００では画像を所定サイズの用紙Ｐに複写した記録紙Ｐ’から成る複写物を出力することができる。
【００７５】
この複合機２００にはフィニッシャ部３００を接続することができ、画像形成後の記録紙Ｐ’の綴じ込みや、２つ折り、ステープル処理等の後処理をするようになされる。ステープル処理等は制御装置１５からの後処理制御データＤ７に基づいて後処理される。フィニッシャ部３００はオプション装置である。
【００７６】
続いて、操作部１４について説明する。図６は複合機２００の操作パネル９００の構成例を示す上から見た図である。図６に示す操作パネル９００は操作部１４及び表示部８７の一例であり、一辺の角が丸みを帯びた長方形状を有しており、ユーザが操作し易いように、当該複合機２００の自動原稿給紙装置（図示せず）４０の手前付近の位置に取り付けられている。
【００７７】
この操作パネル９００上には、少なくとも、表示部８７及びモードチェンジキー８９が取り付けられている。この例では表示部８７には液晶表示ディスプレイ（ＬＣＤ）が使用される。この他に表示部８７には、ＰＤＰ（Ｐｌａｓｍａ　ＤｉｓｐｌａｙＰａｎｅｌ）、電界発光ダイオードなどの平面表示素子を使用してもよく、これらの表示装置は操作パネル９００のほぼ中央に配置される。表示部８７には、利用者の入力操作性を良くするために、タッチパネルが表示画面上に取り付けられる。
【００７８】
この他に表示部８７の左側にはワンタッチダイヤル用の押しボタンスイッチ９０１がマトリクス状に配置され、ワンタッチ送信や同報通信などの特殊の通信モードを実行できるようになされている。表示部８７の右側にはモードチェンジキー８９が設けられ、例えば、モードチェンジキー８９の操作に応じて受信連絡モード設定画面Ｐ０や、複写画面Ｐ１０、ファクシミリ画面Ｐ２０、プリンタ画面Ｐ３０等が順次、表示部８７にローテーション表示される。
【００７９】
更に、表示部８７の右側にはモードチェンジキー８９の他に、数字の「１」〜「０」のテンキーや、「＊」キー、「＃」キーなどの電話番号入力用のキーボタン９０２、チェックボタン９０３、ヘルプボタン９０４、アプリケーションボタン９０５、プログラムボタン９０６、リセットボタン９０７、ストップ／クリアボタン９０８、割り込みコピーボタン９０９、電源スイッチ９１０、スタートボタン９１１などが配置されている。「１」〜「３」のテンキーの配置領域上には２つの発光ダイオードＬＥＤ１、ＬＥＤ２が取り付けられ、ファイルやエラーを区別するような表示をできるようになされている。
【００８０】
続いて、複写画面Ｐ１０の表示例について説明をする。図７に示す複写画面Ｐ１０には、「コピーできます」のメッセージが表示され、その他に、コピー設定、画質、予約リスト、原稿読込などが同一画面上に表示される。コピー設定画面には、「画面選択」、「コピー濃度」、「倍率」、「サイズ選択」などが表示される。「画面選択」では、原稿の記録スタイルが選択できるようになされている。
【００８１】
この例では「ＲＡＤＦ」をタッチすると、原稿の自動読み取りモードが設定できるようになされている。また、「両面→両面」を押下すると、原稿の両面を用紙Ｐの両面に記録するモードを選択することができ、「両面→片面」、「片面→両面」又は「片面→片面」を押下すると、その表示に対応したモードで原稿を用紙Ｐに記録することができる。再利用紙の場合は「片面→片面」を押下しなくても、自動的に「片面→片面」モードを選択するようになされる。
【００８２】
「コピー濃度」では、画像データの記録時のコピー濃度（画像濃度ともいう）が任意に調整できるようになされている。この例では「任意１」又は「任意２」を選択できるようになされる。任意キーを選択した場合には、「白抜き三角」キー、「黒地三角」キー又は「普通」キーを押下することにより、コピー濃度が任意に調整できるようになる。因みに「白抜き三角」キーを押下すると、コピー濃度が淡くなる方向に設定され、「黒地三角」キーを押下すると、コピー濃度が濃くなる方向に設定される。これらのキー領域下には「自動」キーが設けられ、コピー濃度が自動調整されるようになされている。
【００８３】
「倍率」では、画像データの記録時の画像形成サイズが任意に設定できるようになされている。この例では倍率表示をする表示エリアが設けられる。その他に、独立、ズーム、固定及び等倍などモードキーが用意され、例えば、等倍モードキーをタッチすると表示エリアに「１．００」が表示されるようになされている。
【００８４】
「サイズ選択」では、用紙Ｐのサイズが任意に設定できるようになされている。この例では多段給紙方式が採られるので、用紙収納トレイのイメージ画面を表示する表示エリアが設けられる。用紙給紙トレイは、例えば、５段用意され、第１段目にはＢ５サイズの用紙Ｐが収納されていることが表示される。同様にして、第２段目にはＡ４Ｒサイズ、第３段目にはＡ４サイズ、第４段目にはＡ３サイズ、第５段目には予備のＡ４Ｒサイズの用紙Ｐが収納されているイメージ画面が表示される。
【００８５】
これらのサイズ表示領域下には、自動サイズキーが設けられ、原稿サイズを検出して指定の変倍率から適切な用紙トレイを選択して記録するモードを設定できる。また、特定の用紙収納トレイを指定したときに、そのトレイに収納された用紙Ｐのサイズ情報を検出して、与えられた画像データをその用紙Ｐのサイズに合うように変倍して記録するモードを設定できるようになされている。
【００８６】
これにより、用紙サイズ、原稿サイズの設定を簡単に行うことができる。なお、複写画面Ｐ１０内の右上側にはコピー枚数を計数する表示領域が設けられ、その下方領域には画像メモリの残量が％表示される。この例ではコピー枚数として「００１」が表示され、メモリ残量として「１００％」が表示されている。
【００８７】
続いて、ファクシミリ画面Ｐ２０について説明をする。図８に示すファクシミリ画面Ｐ２０には、「送信できます」のメッセージが表示され、その他に、「追加」キーや件数表示領域が設けられ、例えば、追加したい相手方の電話番号「０４２６−６０−９２８５」や、追加したい複数の宛先に送信するときに、追加キーを押下して相手先の電話番号を登録するようになされる。また、複数の相手先の件数「４件」などが表示される。
【００８８】
また、これらの下方領域には「短縮」、「リダイヤル」、「オンフック」、「トーン」、「ポーズ」、「−」、「削除」などの選択キーが表示される。「短縮」は相手先の電話番号を短縮入力時に使用するタグ、「リダイヤル」は再送信に使用するタグ、「オンフック」は手動送信／手動受信時の回線捕捉に使用するタグ、「トーン」はパルス／トーン音の切替え時に使用するタグ、「ポーズ」はダイアル間休止や、ダイヤルトーン検出時に使用するタグ、「−」はダイヤル入力時にダイヤルＮ０のセパレータ（ハイフィン）として使用するタグ、「削除」は宛先入力データの１文字削除時などに使用するタグである。
【００８９】
これらの表示領域下には「宛先表」、「原稿設定」、「設定」、「予約リスト」、「原稿読込」などが同一画面上に表示される。「宛先表」は待機画面を宛先選択画面に切替えるときに使用するタグ、「原稿設定」は待機画面を画質選択画面に切替える時に使用するタグ、「設定」は諸事項を登録するときに使用するタグ、「予約リスト」は複写機能、ファクシミリ機能又はプリンタ機能などの予約ジョブの動作状態表示画面を呼び出すために使用するタグ、「原稿読込」はプラテン原稿の複数枚送信時や、ＡＤＦ原稿／プラテン原稿の混載送信時等に原稿を読み込むときに使用するタグである。
【００９０】
この例では「原稿設定」タグがタッチされて、原稿設定画面が表示されたものであり、ファクシミリ機能選択時の基本待機画面となる。この基本待機画面には、「ＲＡＤＦ」、「解像度」、「画質」、「濃度」などの属性が表示され、「ＲＡＤＦ」の下方領域には「表紙＋両面」、「両面」、「片面」などが表示される。「解像度」の下方領域には「高精細」、「精細」、「自動」が表示される。各々の表示に対応したモードで原稿を受信できるようになされている。
【００９１】
「画質」の下方領域には「写真」、「文字写真」、「文字」が表示され、原稿の画質を設定できるようになされている。「濃度」の下方領域には「自動」、「濃く」、「普通」及び「淡く」が表示され、各々の表示に対応したコピー濃度で原稿を用紙Ｐに記録できるようになされている。
【００９２】
続いて、プリンタ画面Ｐ３０の表示例について説明をする。図９に示すプリンタ画面Ｐ３０はプリンタ基本待機画面である。そのプリンタ画面Ｐ３０には、「プリントできます」のメッセージが表示される。この例では、メッセージエリアには半角３３文字の２段で構成された「プリントできます」又は「イニシャル中です」がプリンタ初期化中に表示される。プリント可能状態では、「プリントできます」のみが表示される。その他に、プリンタ画面Ｐ３０には「イニシャル」のアイコン領域、「プリンタ」、「強制排紙」、「予約リスト」、「設定」などの選択キーが表示される。
【００９３】
「イニシャル」は当該プリンタの状態を示すアイコン領域であり、プリンタが初期化中であることを示すアイコンである。「プリント」のアイコン画面ではプリント中を示したり、「待機中」のアイコン画面でプリント可能状態を示す。その他、「エラー発生」を示すアイコンも準備されている。これらのアイコンには下位階層のアイコンが準備されている。例えば、当該プリンタの装置状態のアイコンとしては、図示しないスパナを象ったサービスマンコールの図柄や、トナー現像部を象ったトナー補給の図柄が準備されている。その他に、アウトプットのアイコンとしては、図示しない複数枚の用紙Ｐを象ったグループの図柄や、ソート、フェイスアップの図柄が準備され、ステイプルアイコンとして、用紙Ｐのステイプル箇所を示す図柄が準備されている。アイコンはプリンタ機能と複写機能とで共通である。
【００９４】
「強制排紙」は用紙Ｐをプリンタから強制的に排出するときに使用するタグ、「予約リスト」は複写機能、ファクシミリ機能又はプリンタ機能などのジョブ動作を確認する時に使用するタグである。この例では、「予約リスト」のタグによってジョブの強制終了、優先度の切替えを行うことができる。また、記録予測時間を分単位で表示される。「設定」はコントローラから諸事項を設定する場合や動作条件の登録を行うときに使用するタグである。この例では、「設定」のタグによってテストプリントを行うことができる。
【００９５】
また、これらの下方領域には当該複合機２００のイメージ画面が表示され、その周辺の四隅にはパソコンのイメージ画面がそれぞれ表示され、ホストパソコンからデータを受信中には、あたかも、該当するパソコンから画像データが複合機２００に転送されているように三日月状のイメージ矢印が点滅表示するようになされている。なお、プリンタ画面Ｐ３０内の右上側にはプリント枚数を計数する表示領域が設けられ、その下方領域には画像メモリの残量が％表示されるようになされている。
【００９６】
続いて、受信連絡モード設定画面Ｐ０１の表示例について説明をする。図１０Ａに示す受信連絡モード設定画面Ｐ０１は例えば、モードチェンジキー８９を操作することにより、図８に示したファクシミリ画面Ｐ２０で「受信できます」のメッセージが表示される画面を選択する。このファクシミリ画面Ｐ２０で例えば、「設定」タグを選択することにより、その下位階層の一例となる受信連絡モード設定画面Ｐ０１が表示部８７に表示される。
【００９７】
図１０Ａに示す設定画面Ｐ０１には「受信連絡モード」、「受信連絡先」、「リダイヤル回数」及び「リダイヤル間隔」等の設定項目が表示される。「受信連絡モード」には「ＯＮ」ボタンＫ１及び「ＯＦＦ」ボタンＫ２が表示される。
【００９８】
この例で「ＯＮ」ボタンＫ１が選択され、受信連絡モードがＯＮ設定されている。この「ＯＮ」ボタンＫ１に下線を引いている。「ＯＦＦ」ボタンＫ２の表示色は「ＯＮ」ボタンＫ１の表示色に比べて暗くなされる。また、「受信連絡先」に関しては使用者の携帯電話機４００の電話番号「０９０−ＸＸＸＸ−ＸＸＸＸ」が表示されている。この電話番号情報は設定記録部３６に登録され記録される。また、「リダイヤル回数」に関しては「３回」が表示され、「リダイヤル間隔」に関しては「５分」が表示されている。いずれも、設定記録部３６に登録され記録される。
【００９９】
また、図１０Ｂに示す受信連絡モード設定画面Ｐ０１’では、「ＯＦＦ」ボタンＫ２が選択され、受信連絡モードがＯＦＦ設定されている。この「ＯＦＦ」ボタンＫ２に下線を引いている。このときは、「ＯＮ」ボタンＫ１の表示色は「ＯＦＦ」ボタンＫ２の表示色に比べて暗くなされる。また、「受信連絡先」及びその電話番号「０９０−ＸＸＸＸ−ＸＸＸＸ」に関しても、更に、「リダイヤル回数」及びその「３回」に関しても、「リダイヤル間隔」及びその「５分」等の表示項目のいずれも、表示色は受信連絡モード設定画面Ｐ０１の表示色に比べて暗くなされる。これにより、受信連絡モードの選択有無を表示色によって明確に差別化することができる。
【０１００】
続いて、留守番ＦＡＸ受信連絡複写システムにおける処理例について説明をする。このシステムでは通信機能を利用して任意のＦＡＸデータＤ２２を受信処理する場合を前提とする。この実施例では使用者が、予め複合機本体にＦＡＸ受信時の通知先の電話番号を登録しておき、受信連絡モードをＯＮ設定にしておくと、ＦＡＸ受信毎に登録通知先電話番号に自動で電話回線が接続される。
【０１０１】
通知先の携帯電話機４００では自動音声再生機能によりＦＡＸ受信通知が拡声され、このＦＡＸ受信処理（本体での出力部数、０部数含む）についての確認及び、その実行結果を通信処理する場合を想定する。このようにすると、人手による作業を軽減することができる。以下で、画像形成系Ｉ及び情報処理制御系ＩＩに分けて説明をする。
【０１０２】
［画像形成系Ｉ］
図１１及び１２は留守番ＦＡＸ受信連絡複写システムにおける複合機側の処理例（その１、２）を示すフローチャートである。
この画像形成系Ｉには予め通信機能を実装した複合機２００が準備され、ＦＡＸデータＤ２２に基づいて画像を形成するようになされる。複合機２００は通信機能、複写機能、ファクシミリ機能及びプリンタ機能を備えている。画像形成条件に関しては、例えば、ＦＡＸデータＤ２２に基づく画像の紙出力する場合の出力枚数ｎが設定される。
【０１０３】
これらを処理条件にして、図１１に示すフローチャートのステップＣ１で初期設定処理をする。このとき、使用者によって図１０Ａに示した受信連絡モード等がＯＮ設定される。受信連絡モードのＯＮ設定は例えば、設定記録部３６に記録される。その後、ステップＣ２に移行してＦＡＸデータＤ２２を受信（ＦＡＸ受信）したかがチェックされる。このとき、ＦＡＸ受信されると、ファクシミリ部１１から状態管理コントロール用の制御装置１５へＦＡＸ受信した旨が出力される。ＦＡＸ受信されていない場合はファクシミリ受信に関して待機される。従って、当該複合機２００でＦＡＸ受信された場合は、ステップＣ３に移行する。
【０１０４】
ステップＣ３では制御装置１５のメモリ制御を受けてファクシミリ部１１で受信されたＦＡＸデータＤ２２を画像メモリ３３に転送し一旦保存するようになされる。その後、ステップＣ４に移行して制御装置１５は受信連絡モードがＯＮ設定されているかがチェックされる。受信連絡モードのＯＮ設定は設定記録部３６を参照することで確認され、受信連絡モードがＯＮ設定されている場合はステップＣ５に移行する。
【０１０５】
ステップＣ５では予め登録された携帯電話機４００に対して通信要求を発呼し、通信回線が接続できたかがチェックされる。このとき、受信連絡モードを実行すべく、制御装置１５は予め登録された特定の携帯電話機４００を通信制御部１２に呼び出すように制御する。
【０１０６】
例えば、使用者の携帯電話機４００の電話番号「０９０−ＸＸＸＸ−ＸＸＸＸ」が設定記録部３６等から読み出され、この電話番号に基づいて携帯電話機４００を呼び出すようになされる。この呼び出しによって、複合機２００及び携帯電話機４００との間が通信手段ＩＩＩを通じて回線接続される。この通信手段ＩＩＩには有線通信回線や、無線通信回線、インターネット回線等が使用される。
【０１０７】
また、上述のステップＣ５で話し中等により通信回線がふさがって接続できない場合はステップＣ６に移行してリダイヤル処理を実行する。このリダイヤル処理では、図１０Ａで設定した「リダイヤル回数」＝「３回」や、「リダイヤル間隔」＝「５分」等に基づいて再度回線接続を試みるようになされる。
【０１０８】
この例では、ステップＣ７に移行してリダイヤル処理の中でリダイヤル回数が設定回数＝「３」以上になったかがチェックされる。リダイヤル回数が設定回数＝３を越えた場合は、通常処理に実行すべく、図１２に示すフローチャートのステップＣ２１へ移行する。リダイヤル処理が設定回数以下の場合は、ステップＣ５に戻って通信回線が接続できたかがチェックされる。複合機２００では携帯電話機４００のオンフックによって当該複合機２００と携帯電話機４００との間の通信回線が確立される。
【０１０９】
ステップＣ５で通信回線が接続できた場合はステップＣ８に移行してＦＡＸ受信メッセージを携帯電話機４００へ送信する。ＦＡＸ受信メッセージは複合機２００から携帯電話機４００へＦＡＸ受信情報Ｄ２３によってなされる。この複合機２００では例えば、「ＦＡＸ受信が有った」旨のＦＡＸ受信情報Ｄ２３を音声情報等にして携帯電話機４００に送信される。
【０１１０】
例えば、音声素材メッセージ記録部３７からメッセージ編集部３８へオリジナルのＦＡＸ受信メッセージ情報が読み出される。メッセージ編集部３８ではオリジナルのＦＡＸ受信メッセージ情報の○部分に受信時の対応リアルタイムデータを合成して編集するようになされる。対応リアルタイムデータはＦＡＸ受信に係る受信時刻や、相手先の発信者番号、その登録名、用紙サイズ、枚数等である。対応リアルタイムデータの合成編集後のメッセージ情報がＦＡＸ受信情報Ｄ２３となる。
【０１１１】
もちろん、これに限られることはなく、「＜受信時刻＞に＜発信者番号＞、＜登録名＞から、＜用紙サイズ＞＜枚数＞のデータを受信しました」等のメッセージ情報を記録するようにしてもよい。映像情報による場合は「何月何日○時○分に発信者番号○○○○からファクシミリを受信しました」旨のメッセージ文字情報がメッセージ記録部３７から読み出される。携帯電話機４００の表示画面に文字情報を表示するためである。
【０１１２】
その後、ステップＣ９に移行して画像形成条件を通信機能を利用して携帯電話機４００へ通知する。画像形成条件は例えば、映像情報により携帯電話機４００に送信される。この場合は「出力部数は、用紙サイズは・・・・に従って設定して下さい」旨のメッセージ文字情報が通知される。この例では、「＜指定＞部数の出力を行います。よろしければ「＃」を、訂正する場合は「＊」を入力してください」等が通知される。このとき、音声情報及び映像情報の両方により画像形成条件を通知するようにしてもよい。
【０１１３】
そして、図１２のフローチャートに移行してそのステップＣ１０では出力部数ｎの入力が有ったかがチェックされる。出力部数ｎの入力があった場合は、ステップＣ１１に移行して出力部数確認送信がなされる。この確認メッセージとして例えば、「＜指定＞部数、正常に出力されました」等が通知される。
【０１１４】
出力部数確認送信に対して複合機２００は使用者の携帯電話機４００から画像形成条件等に関して設定情報Ｄ２４を受信しその指示を受けるようになされる。例えば、ステップＣ１２で出力部数ｎを訂正するかがチェックされる。出力部数ｎを訂正する場合はステップＣ１０に戻って出力部数ｎの入力が有ったかがチェックされる。
【０１１５】
出力部数ｎの訂正が無い場合は、ステップＣ１３に移行してＦＡＸデータＤ２２を画像メモリ３３から読み出して画像形成手段８０にセットする。その後、ステップＣ１４に移行して携帯電話機４００へ出力ＪＯＢセット終了（完了通知に相当）を送信した後に、ステップＣ１５に移行して通信回線を「断」する。ここで通信回線を「断」するのは、印刷処理中までも、当該複合機２００と携帯電話機４００との間が通信回線により接続される事態を回避するためである。
【０１１６】
その後、ステップＣ１６に移行して出力部数ｎに基づいて画像形成処理を実行する。このとき、複合機２００では設定されたサイズの用紙Ｐを繰り出し、当該ＦＡＸデータＤ２２に基づいてその用紙Ｐに画像を形成し、設定枚数ｎ分の複写物を出力するようになされる（留守番ＦＡＸ受信連絡複写機能）。
【０１１７】
また、ステップＣ１０で出力部数ｎの入力が無い場合や、通信回線の接続が途中で終了した場合等には、ステップＣ１７に移行してＦＡＸデータＤ２２を画像メモリ３３から読み出して画像形成手段８０にセットする。その後、ステップＣ１８に移行して携帯電話機４００へ出力ＪＯＢセット終了を送信し、その後、ステップＣ１９に移行して通信回線を「断」する。ここで通信回線を「断」するのは、上述した通りである。
【０１１８】
その後、ステップＣ２０に移行してデフォルト値である出力部数ｎ＝１に基づいて画像形成処理を実行する。このとき、複合機２００ではデフォルトサイズの用紙Ｐを繰り出し、当該ＦＡＸデータＤ２２に基づいてその用紙Ｐに画像を形成し、１部数分の複写物を出力するようになされる（留守番ＦＡＸ受信連絡複写機能）。
【０１１９】
なお、ステップＣ４で受信連絡モードが設定されていない場合、つまり、受信連絡モードがＯＦＦ設定されたままの場合は、携帯電話機４００を呼び出すことなく、ステップＣ２１に移行して画像形成条件に関してデフォルト値に基づいてＦＡＸデータＤ２２が画像メモリ３３から読み出されて画像形成手段８０にセットされる。通常処理を実行するためである。
【０１２０】
そして、ステップＣ２２に移行してＦＡＸデータＤ２２に基づいて画像を形成し、１部数の複写物を出力するようになされる。この場合は、ＦＡＸデータＤ２２が画像メモリから削除するようになされる。その後、ステップＣ２３に移行する。
【０１２１】
ステップＣ２３では画像形成処理に関して終了判断をする。この際の判断は使用者である。留守番ＦＡＸ受信連絡複写機能を継続して利用する場合はステップＣ２４に移行する。ステップＣ２４では設定を変更するかがチェックされる。設定を変更しない場合は、ステップＣ２に戻ってＦＡＸ受信を待機する。以後、上述の処理を繰り返すようになされる。設定を変更する場合はステップＣ１に戻って、初期設定処理をやり直すようになされる。
【０１２２】
なお、画像形成処理中に紙詰まりなどにより、エラーが発生した場合は、エラー内容についての音声情報をエラーメッセージ情報にして携帯電話機４００に通知するようにしてもよい。また、この複合機２００で本体エラー原因の解消と共に、途中で停止した出力ＪＯＢ処理を自動復帰するようにしてもよい。
【０１２３】
［情報処理制御系ＩＩ］
図１３は留守番ＦＡＸ受信連絡複写システムにおける携帯電話機側の処理例を示すフローチャートである。
このシステムでは画像形成系Ｉを制御する情報処理制御系ＩＩには携帯電話機４００が準備される。使用者は携帯電話機４００を携行するようになされる。この携帯電話機４００を通じて複合機２００を遠隔制御するためである。上述の携帯電話機４００と複合機２００との間は図１で説明したような通信手段ＩＩＩにより接続される。
【０１２４】
この例で携帯電話機４００において、複合機２００から受信したＦＡＸ受信情報Ｄ２３を音声情報又は／及び映像情報にして再生するようになされる。また、携帯電話機４００は複合機２００から受信した音声情報又は／及び映像情報を画像形成条件に再生するようになされる。携帯電話機４００でファクシミリイメージ映像等の特有のキャラクタを表示するようにしてもよい。
【０１２５】
この音声情報又は／及び映像情報を確認した使用者は携帯電話機４００を通じて画像形成条件等に関して複合機２００を遠隔制御するように操作される。使用者は携帯電話機４００を使用して出力部数や用紙サイズ等を当該複合機２００に設定するようになされる。
【０１２６】
これを処理条件にして、まず、図１３に示すフローチャートのステップＥ１で当該携帯端末装置４００の電源をＯＮする。そして、ステップＥ２に移行して相手方からの着呼が待機される。この際の着呼は通常の携帯電話機等のみならず画像形成系Ｉの複合機２００からの呼び出しも含まれる。このシステムで複合機２００からの通信要求を着呼した場合はステップＥ３に移行して例えば、携帯電話機４００をオンフックする。このオンフックによって、複合機２００及び携帯電話機４００との間が通信手段ＩＩＩを通じて回線接続される。
【０１２７】
その後、ステップＥ４でＦＡＸ受信情報Ｄ２３が受信される。例えば、携帯電話機４００では「何月何日○時○分に発信者番号○○○○からファクシミリを受信しました」旨が音声情報に基づいて再生され、使用者に通知するようになされる。もちろん、これに限られることはなく、携帯電話機４００の自動音声アナウンス機能を利用して「＜受信時刻＞に＜発信者番号＞の＜登録名＞から、＜用紙サイズ＞、＜枚数＞のＦＡＸデータを受信しました」旨のメッセージ情報が流れる。ここで予め複合機２００の設定記録部３６等に発信者番号が登録されている場合は、その登録名として指定名称を読み上げることも可能となる。
【０１２８】
そして、ステップＥ５で画像形成条が受信される。このとき、映像情報に基づいて文字により「出力部数は、用紙サイズは・・・・に従って設定して下さい」旨のメッセージが携帯電話機４００の表示画面に表示するようになされる。
【０１２９】
その後、上述の画像形成条件に関する遠隔制御を実行するべく、ステップＥ６に移行して出力部数ｎを当該複合機２００に送信したかがチェックされる。このとき、出力部数の入力があった場合は、音声アナウンスにより「＜指定＞部数の出力を行います。よろしければ「＃」を、訂正する場合は「＊」を入力してください」等の出力指定部数の確認がなされる。
【０１３０】
そして、ステップＥ７に移行して複合機２００からの出力部数確認情報を受信する。例えば、音声アナウンスにより、「＜指定＞部数、正常に出力されました」旨が再生される。複合機２００と携帯電話機４００との間における制御目標を統一するためである。その後、ステップＥ８に移行して出力部数確認「ＯＫ」か否かが送信される。この際の判断は使用者である。出力部数確認「ＯＫ」の場合はステップＥ１０に移行して通信回線を「断」して作業終了となる。その後、ステップＥ１１に移行する。
【０１３１】
上述のステップＥ８で出力部数確認「ＯＫ」でない場合はステップＥ６に戻って出力部数ｎを送信したかがチェックされる。ステップＥ６で出力部数ｎを送信されない場合はステップＥ９に移行して一定時間送信が猶予される。一定時間が経過しない場合は、出力部数ｎの送信を待つようになされる。一定時間経過後にステップＥ１０に移行して通信回線が「断」される。複合機２００においてデフォルト値により処理させるためである。これにより、携帯電話機４００では通信機能を利用して画像形成条件に関して複合機２００を遠隔制御するように操作することができる。
【０１３２】
なお、ステップＥ１１では受信連絡モードによる受信を継続するかが判断される。この際の判断は使用者である。受信連絡モードによる受信を継続する場合はステップＥ２に戻って携帯電話機４００によって着呼待機され、以後、上述の処理を繰り返すようになされる。受信連絡モードによる受信を拒否する場合は当該携帯電話機４００の電源をオフすることで対処される。
【０１３３】
このように、本発明に係る実施例としての留守番ＦＡＸ受信連絡複写システムによれば、通信機能を利用して任意のＦＡＸデータＤ２２を処理する場合に、複合機２００でＦＡＸデータＤ２２が受信されると、通信手段ＩＩＩの回線接続装置１０１，通信網１０５及び無線回線接続装置１０２を通じて当該複合機２００及び携帯電話機４００とが接続される。これを前提にして、複合機２００では通信機能を利用して携帯電話機４００に対しＦＡＸ受信情報Ｄ２３が通知される。携帯電話機４００ではＦＡＸ受信情報Ｄ２３の通知を受け取ると、通信機能を利用して画像形成条件に関して複合機２００を遠隔制御するように操作される。複合機２００では画像形成条件及び当該ＦＡＸデータＤ２２に基づいて画像を形成するようになる。
【０１３４】
従って、相手方からいつ何時に受信するか分からないＦＡＸデータＤ２２の受信時の複写処理に関して、複合機２００の設置場所に常時、専属の担当者が滞在しなくても、使用者の携帯電話機４００、電話番号登録にもよるが従業者の自宅の据え置き型の電話機５００や、その者の居住内の据え置き型のパーソナルコンピュータ６００等から画像形成枚数等を複合機２００へ指示することができる。
【０１３５】
これにより、複合機側ではファクシミリ受信したその晩に必要枚数の複写物を予め画像形成して揃えておくことができ、その翌朝、複合機２００の設置場所に取りに行ったときには、すぐにこれらの複写物を入手することができる。ＦＡＸデータＤ２２に基づく配布資料等の画像形成機能を備えた複合機２００の提供に寄与するところが大きい。
【０１３６】
例えば、留守番ＦＡＸ受信連絡複写システムを運送事業者に適用した場合に、集配営業所からいつ何時に受信するか分からない発注伝票等の受信時の複写処理に関して、複合機２００の設置場所に常時専属の担当者を滞在させなくても済む。従って、配送拠点等の事務所に担当者が拘束される時間を短くすることができる。
【０１３７】
また、遠隔地の集配営業所等の電話機から配送拠点の複合機２００に対して画像形成条件等を指示できるようになることから、画像形成処理は例えば、担当者の就寝中に実行され、そのその翌朝、担当者が複合機２００の設置場所に取りに行ったときには、すぐにこれらの必要枚数の発注伝票（複写物）を入手できるようになる。
【０１３８】
この実施例では情報処理装置に関して携帯電話機４００の場合について説明したが、これに限られることはなく、据え置き型の電話機、携帯用又は据え置き型のパーソナルコンピュータにＦＡＸ受信情報２３を通知するようにしてもよい。また、相手方から受信するＦＡＸデータＤ２２は公衆電話回線によるものに限られることはなく、いわゆるＴＣＰ／ＩＰベースのネットワークであるＬＡＮやインターネットを通じてファイル形式（ヘッダ情報＋ディジタル画像データ）により転送されてくるＦＡＸデータであってもよい。
【０１３９】
また、この実施例では画像形成装置に関して白黒の複合機２００の場合について説明したがこれに限られることはなく、もちろん、カラー用の複合機等においても同様な効果が得られる。
【０１４０】
【発明の効果】
以上説明したように、本発明に係る画像形成システムによれば、通信機能を利用して任意の画像情報を処理する場合に、画像形成装置と情報処理装置とを通信手段を通じて接続し、画像形成装置では画像情報を受信したとき、情報処理装置に対して画像受信情報を通知し、情報処理装置では画像受信情報の通知を受け取ると、画像形成条件に関して画像形成装置を遠隔制御するように操作されるものである。
【０１４１】
この構成によって、相手方からいつ何時に受信するか分からない画像情報の受信時の複写処理に関して、画像形成装置の設置場所に常置専属の担当者が滞在しなくても、遠隔地の携帯用又は据え置き型の電話機や、携帯用又は据え置き型のパーソナルコンピュータ等の情報処理装置から画像形成枚数等を指示することができる。従って、必要枚数の複写物を予め画像形成して揃えておくことができ、その画像形成装置の設置場所に取りに行ったときには、すぐにこれらの複写物を入手することができる。
【０１４２】
本発明に係る画像形成装置によれば、予め登録された特定の情報処理装置によって遠隔操作される画像形成手段を備え、相手方からの任意の画像情報が受信されると共に、送受信手段を通じて情報処理装置に対して画像受信情報を通知し、この情報処理装置に対して画像形成条件を提示すると共に、この情報処理装置から画像形成条件の設定を受け、この画像形成条件及び画像情報に基づいて画像を形成するものである。
【０１４３】
この構成によって、遠隔地の携帯用又は据え置き型の電話機や、携帯用又は据え置き型のパーソナルコンピュータ等の予め登録された特定の情報処理装置から指示された画像形成枚数等の複写物を出力することができる。従って、必要枚数の複写物を予め画像形成して揃えておくことができ、その画像形成装置の設置場所に取りに行ったときには、すぐにこれらの複写物を入手することができる。これにより、相手方からいつ何時に受信するか分からない画像情報の受信時の複写処理に関して、画像形成装置の設置場所に常置専属の担当者が滞在しなくても済む。
【０１４４】
本発明に係る情報処理方法によれば、通信機能を利用して任意の画像情報を処理する場合に、画像情報を受信し当該画像情報に基づいて画像を形成する画像形成系に予め通信機能を実装した画像形成装置を準備すると共に、画像形成系を制御する情報処理制御系には通信機能を実装した情報処理装置を準備し、画像形成系で画像情報を受信したときは、この画像形成装置及び情報処理装置の間を通信手段を通じて接続し、画像形成系では情報処理制御系に対して画像受信情報を通知し、情報処理制御系では画像受信情報の通知を受け取った後に画像形成条件に関して画像形成系を遠隔制御するようになされる。
【０１４５】
この構成によって、相手方からいつ何時に受信するか分からない画像情報の受信時の複写処理に関して、画像形成系において、常置専属の担当者が滞在しなくても、遠隔地の携帯用又は据え置き型の電話機や、携帯用又は据え置き型のパーソナルコンピュータ等の情報処理制御系から画像形成枚数等を指示することができる。従って、必要枚数の複写物を予め画像形成して揃えておくことができ、その画像形成系に取りに行ったときには、すぐにこれらの複写物を入手することができる。
【０１４６】
この発明は、通信機能、複写機能、ファクシミリ機能及びプリンタ機能を備えた白黒及びカラー用のディジタル複合機や複写機等に適用して極めて好適である。
【図面の簡単な説明】
【図１】本発明の実施形態としての画像形成システム１００の構成例を示すブロック図である。
【図２】画像形成システム１００における処理例を示すフローチャートである。
【図３】本発明に係る実施例としての留守番ＦＡＸ受信連絡複写システムで使用する複合機２００の機能例を示すイメージ図である。
【図４】複合機２００の断面の構成例を示す概念図である。
【図５】複合機２００の制御系の構成例を示すブロック図である。
【図６】複合機２００の操作パネル９００の構成例を示す上から見た図である。
【図７】複写画面Ｐ１０の表示例を示すイメージ図である。
【図８】ファクシミリ画面Ｐ２０の表示例を示すイメージ図である。
【図９】プリンタ画面Ｐ３０の表示例を示すイメージ図である。
【図１０】Ａ及びＢは受信連絡モード設定画面Ｐ０１の表示例を示すイメージ図である。
【図１１】留守番ＦＡＸ受信連絡複写システムにおける複合機側の処理例（その１）を示すフローチャートである。
【図１２】留守番ＦＡＸ受信連絡複写システムにおける複合機側の処理例（その２）を示すフローチャートである。
【図１３】留守番ＦＡＸ受信連絡複写システムにおける携帯電話機側の処理例を示すフローチャートである。
【符号の説明】
Ｉ　画像形成系
ＩＩ　情報処理制御系
ＩＩＩ　通信手段
１１　ファクシミリ部
１２　通信制御部（送受信手段）
１４　操作手段
１５　制御装置
１６　表示手段
３６　設定記録部（記憶手段）
８０　画像形成手段
１００　画像形成システム
２００　複合機（画像形成装置）
４００　携帯電話機（情報処理装置）
【図１】
2004056285.tif 000003
【図２】
2004056285.tif 000004
【図３】
2004056285.tif 000005
【図４】
2004056285.tif 000006
【図５】
2004056285.tif 000007
【図６】
2004056285.tif 000008
【図７】
2004056285.tif 000009
【図８】
2004056285.tif 000010
【図９】
2004056285.tif 000011
【図１０】
2004056285.tif 000012
【図１１】
2004056285.tif 000013
【図１２】
2004056285.tif 000014
【図１３】
2004056285.tif 000015